(57)【要約】【課題】異なるサイズの便器にも設けることができる自動洗浄装置付き温水便座器を提供する。【解決手段】  便器と自動洗浄装置付き温水便座器、ベースと、座部と、上蓋とを含んでなり、ベースは底部に便器に形成されたネジ孔に対応して接続することができる調整可能な接続部材を設け、接続部材は、レールと、滑動ブロックと、ネジと、固定パッドとを含んでなり、該レールはベースの底部に設けられ、内側にレールに沿って滑動する滑動ブロックを具えてなり、該滑動ブロック上にはレールに対して垂直な方向に溝が設けられ、該ネジは、桿体に固定パッドを固定接続し、ネジは底部が溝を貫通して延伸し、固定パッド上の表面と滑動ブロックの底面とを互いに接触させ、該固定パッドの表面には鋸の歯のような歯型部が形成され、滑動ブロックの底面には該歯型部に対応する溝が設けられる。【選択図】図１
2008023333.tif 000002
【特許請求の範囲】
【請求項１】
便器と自動洗浄装置付き温水便座器、ベースと、座部と、上蓋とを含んでなり、
該ベースは底部に便器に形成されたネジ孔に対応して接続することができる調整可能な接続部材を設け、該接続部材は、レールと、滑動ブロックと、ネジと、固定パッドとを含んでなり、該レールはベースの底部に設けられ、内側にレールに沿って滑動する滑動ブロックを具えてなり、該滑動ブロック上にはレールに対して垂直な方向に溝が設けられ、該ネジは、桿体に固定パッドを固定接続し、ネジは底部が溝を貫通して延伸し、固定パッド上の表面と滑動ブロックの底面とを互いに接触させ、該固定パッドの表面には鋸の歯のような歯型部が形成され、滑動ブロックの底面には該歯型部に対応する溝が設けられることを特徴とする自動洗浄装置付き温水便座器。
【請求項２】
前記レールが側面に鋸の歯状の歯型部を設け、滑動ブロック上に突起が設けられ、緊密にロックされると、滑動ブロックの突起が歯型部に係合されることを特徴とする請求項１に記載の自動洗浄装置付き温水便座器。
【請求項３】
前記ベースが内部に互いに貫通した洗浄装置とオゾン発生装置とを設け、
該洗浄装置は、進水管と、酸素水混合手段と、使用者の陰部を洗浄するノズルとをそれぞれ順番に貫通接続して形成し、
該オゾン発生装置は、オゾンを発生するオゾン装置と、該オゾン装置に貫通接続したポンプとを含んでなり、該ポンプは気体の排気口と、消毒作用を具えたオゾン水の酸素水混合手段とが貫通して接続することを特徴とする請求項１に記載の自動洗浄装置付き温水便座器。
【請求項４】
前記酸素水混合手段が、水タンクであって、ポンプの排気口が直接、該水タンクに貫通して接続することを特徴とする請求項３に記載の自動洗浄装置付き温水便座器。
【請求項５】
前記酸素水混合装置が水タンクと酸素水混合タンクとが互いに貫通接続し、進水管と水タンクとが互いに貫通接続し、ポンプの排気口と酸素水混合タンクとが貫通接続し、酸素水混合タンクとノズルとが貫通接続することを特徴とする請求項３に記載の自動洗浄装置付き温水便座器。
【請求項６】
前記ベースが側面にワイヤレスコントローラーを設け、
該ワイヤレスコントローラーは、リモートコントローラーボックスと、該リモートコントローラーボックスの操作パネル上に設けられたノズルの洗浄方法を選択する操作ボタンと、内部に設けるリモートコントローラーと、を含んでなり、
該リモートコントローラーは表面にコントロールボタンを設けてなり、
該ベースが側面にコード接続式のリモートコントローラーを設け、
該コード接続式のリモートコントローラーは、リモートコントローラーボックスと、該リモートコントローラーボックスの操作パネル上に設けられたノズルの洗浄方法を選択する操作ボタンと、該リモートコントローラーボックスの内部に設けるリモートコントローラーと、を含んでなり、該リモートコントローラーとリモートコントローラーボックスとの間は伸縮自在な電源コードで接続され、該リモートコントローラーは表面にコントロールボタンが設けられることを特徴とする請求項１，２，３のいづれか１項に記載の自動洗浄装置付き温水便座器。
【請求項７】
前記便器が側面に洗浄用の水を貯める水タンクを設け、該水タンクの排水管は洗浄装置の進水管に接続し、該水タンクが、固定装置で壁に固定することができることを特徴とする請求項１に記載の自動洗浄装置付き温水便座器。
【発明の詳細な説明】
【技術分野】
【０００１】
この発明は、自動洗浄装置付き温水便座器に関し、特に温水便座器の臭いを有する水を殺菌する自動洗浄装置付き温水便座器に関する。
【背景技術】
【０００２】
現在市場で販売されている洗浄装置の付いた温水便座器に関する製品の技術はすでに成熟期を、迎えており、自動洗浄装置付き洗温水便座器の内部に直接洗浄装置を設けたベースなどが幅広く応用されている。
【０００３】
しかしながら、従来の洗浄装置の付いた温水便座器では２点補充すべき部分がある。一つは洗浄装置用の水がユーザーの陰部を洗浄するため、該水が清潔で無菌であることが求められる。よって、従来の洗浄装置付き温水便座器では様々な処理をしているが、理想的な効果が得られない。
【０００４】
二つ目は便器の種類によりサイズが異なり、自動洗浄装置付き温水便座器のベースと便器との間に固定部材が必要になる。このため、一つのベースを異なるサイズの便器に設置することができず、異なる便器に設ける場合にはネジ孔の位置も異なる。よって、ベースのサイズの規格は生産者にとって常に大きな問題であり、消費者にも不便さを与えている。
【発明の開示】
【発明が解決しようとする課題】
【０００５】
この発明は、異なるサイズの便器にも設けることができる自動洗浄装置付き温水便座器を提供することを課題とする。
【課題を解決するための手段】
【０００６】
そこで、本発明の発明者は従来の技術に見られる欠点に鑑みて鋭意研究を重ねた結果、便器と自動洗浄装置付き温水便座器、ベースと、座部と、上蓋とを含んでなり、
該ベースは底部に便器に形成されたネジ孔に対応して接続することができる調整可能な接続部材を設け、該接続部材は、レールと、滑動ブロックと、ネジと、固定パッドとを含んでなり、該レールはベースの底部に設けられ、内側にレールに沿って滑動する滑動ブロックを具えてなり、該滑動ブロック上にはレールに対して垂直な方向に溝が設けられ、該ネジは、桿体に固定パッドを固定接続し、ネジは底部が溝を貫通して延伸し、固定パッド上の表面と滑動ブロックの底面とを互いに接触させ、該固定パッドの表面には鋸の歯のような歯型部が形成され、滑動ブロックの底面には該歯型部に対応する溝が設けられる構造からなる。
【０００７】
以下、この発明について具体的に説明する。
請求項１に記載する自動洗浄装置付き温水便座器は、便器と自動洗浄装置付き温水便座器の、ベースと、座部と、上蓋とを含んでなり、
該ベースは底部に便器に形成されたネジ孔に対応して接続することができる調整可能な接続部材を設け、該接続部材は、レールと、滑動ブロックと、ネジと、固定パッドとを含んでなり、該レールはベースの底部に設けられ、内側にレールに沿って滑動する滑動ブロックを具えてなり、該滑動ブロック上にはレールに対して垂直な方向に溝が設けられ、該ネジは、桿体に固定パッドを固定接続し、ネジは底部が溝を貫通して延伸し、固定パッド上の表面と滑動ブロックの底面とを互いに接触させ、該固定パッドの表面には鋸の歯のような歯型部が形成され、滑動ブロックの底面には該歯型部に対応する溝が設けられる。
【０００８】
請求項２に記載の自動洗浄装置付き温水便座器は、請求項１におけるレールが側面に鋸の歯状の歯型部を設け、滑動ブロック上に突起が設けられ、緊密にロックされると、滑動ブロックの突起が歯型部に係合される。
【０００９】
請求項３に記載の自動洗浄装置付き温水便座器は、請求項１におけるベースが内部に互いに貫通した洗浄装置とオゾン発生装置とを設け、
該洗浄装置は、進水管と、酸素水混合手段と、使用者の陰部を洗浄するノズルとをそれぞれ順番に貫通接続して形成し、
該オゾン発生装置は、オゾンを発生するオゾン装置と、該オゾン装置に貫通接続したポンプとを含んでなり、該ポンプは気体の排気口と、消毒作用を具えたオゾン水の酸素水混合手段とが貫通して接続する。
【００１０】
請求項４に記載の自動洗浄装置付き温水便座器は、請求項３における酸素水混合手段が、水タンクであって、ポンプの排気口が直接、該水タンクに貫通して接続する。
【００１１】
請求項５に記載の自動洗浄装置付き温水便座器は、請求項３における酸素水混合装置が水タンクと酸素水混合タンクとが互いに貫通接続し、進水管と水タンクとが互いに貫通接続し、ポンプの排気口と酸素水混合タンクとが貫通接続し、酸素水混合タンクとノズルとが貫通接続する。
【００１２】
請求項６に記載の自動洗浄装置付き温水便座器は、請求項１、２、３におけるベースが側面にワイヤレスコントローラーを設け、
該ワイヤレスコントローラーは、リモートコントローラーボックスと、該リモートコントローラーボックスの操作パネル上に設けられたノズルの洗浄方法を選択する操作ボタンと、内部に設けるリモートコントローラーと、を含んでなり、
該リモートコントローラーは表面にコントロールボタンを設けてなり、
該ベースが側面にコード接続式のリモートコントローラーを設け、
該コード接続式のリモートコントローラーは、リモートコントローラーボックスと、該リモートコントローラーボックスの操作パネル上に設けられたノズルの洗浄方法を選択する操作ボタンと、該リモートコントローラーボックスの内部に設けるリモートコントローラーと、を含んでなり、該リモートコントローラーとリモートコントローラーボックスとの間は伸縮自在な電源コードで接続され、該リモートコントローラーは表面にコントロールボタンが設けられる。
【００１３】
請求項８に記載の自動洗浄装置付き温水便座器は、請求項１における便器が側面に洗浄用の水を貯める水タンクを設け、該水タンクの排水管は洗浄装置の進水管に接続し、該水タンクが、固定装置で壁に固定することができる。
【発明の効果】
【００１４】
この発明の自動洗浄装置付き温水便座器は、異なるサイズ規格の便器にも装着することができ、実用的で、且つ消費者の購入費用を削減するという効果を有する。
【発明を実施するための最良の形態】
【００１５】
この発明は、異なるサイズの便器にも設けることができる自動洗浄装置付き温水便座器であって、便器と自動洗浄装置付き温水便座器、ベースと、座部と、上蓋とを含んでなり、
該ベースは底部に便器に形成されたネジ孔に対応して接続することができる調整可能な接続部材を設け、該接続部材は、レールと、滑動ブロックと、ネジと、固定パッドとを含んでなり、該レールはベースの底部に設けられ、内側にレールに沿って滑動する滑動ブロックを具えてなり、該滑動ブロック上にはレールに対して垂直な方向に溝が設けられ、該ネジは、桿体に固定パッドを固定接続し、ネジは底部が溝を貫通して延伸し、固定パッド上の表面と滑動ブロックの底面とを互いに接触させ、該固定パッドの表面には鋸の歯のような歯型部が形成され、滑動ブロックの底面には該歯型部に対応する溝が設けられる構造からなる。
かかる自動洗浄装置付き温水便座器の構造と特徴を詳述するために具体的な実施例を挙げ、図示を参照にして以下に説明する。
【実施例】
【００１６】
図１から図９に開示するように、この発明の自動洗浄装置付き温水便座器は、便器１と、ベース２と、座部３と、上蓋４とを含んでなる。
【００１７】
該ベース２の底部には便器１に形成されたネジ孔に対応して接続することができる調整可能な接続部材７を設ける。該接続部材７は、レール７１と、滑動ブロック７２と、ネジ７３と、固定パッド７４とを含んでなる。該レール７１はベース２の底部に設けられる。該レール７１は内側にレール７１に沿って滑動する滑動ブロック７２を設け、該滑動ブロック７２上にはレール７１に対して垂直な方向に溝７２１が設けられる。
【００１８】
ネジ７３は桿体に固定パッド７４を固定接続し、ネジ７３は下から溝７２１を貫通して延伸し、固定パッド７４上の表面と滑動ブロック７２の底面とを互いに接触させる。該固定パッド７４の表面には鋸の歯のような歯型部７４１が形成され、滑動ブロック７２の底面には該歯型部７４１に対応する溝７２２が設けられる。
【００１９】
レール７１の側辺には鋸の歯状の歯型部７１１が設けられ、滑動ブロック７２上には突起７２３が設けられる。よって、緊密にロックすると、滑動ブロック７２の突起７２３が歯型部７１１に係合される。
【００２０】
ベース２の内部には洗浄装置５とオゾン発生装置６とが互いに貫通して設けられる。該洗浄装置５は、進水管５１と、酸素水混合手段５２と、使用者の陰部を洗浄するノズル５３とがそれぞれ順番に貫通接続して形成される。
【００２１】
オゾン発生装置６は、オゾンを発生するオゾン装置６２と、該オゾン装置６２に貫通接続したポンプ６１とを含んでなる。該ポンプ６１は気体の排気口と、消毒作用を具えたオゾン水の酸素水混合手段５２とが貫通して接続する。
【００２２】
該酸素水混合手段５２は、水タンク５２１であって、ポンプ６１の排気口が直接、該水タンク５２１に貫通して接続する。
【００２３】
該酸素水混合手段５２は、水タンク５２１と酸素水混合タンク５２２とが互いに貫通接続し、進水管５１と水タンク５２１とが互いに貫通接続し、ポンプ６１の排気口と酸素水混合タンク５２２とが貫通接続し、酸素水混合タンク５２２とノズル５３とが貫通接続する。
【００２４】
便器のベース２の側面にはワイヤレスコントローラーが設けられる。該ワイヤレスコントローラーは、リモートコントローラーボックス８と、該リモートコントローラーボックス８の操作パネル上に設けられたノズルの洗浄方法を選択する操作ボタン８１と、内部に設けるリモートコントローラー８２と、を含んでなる。該リモートコントローラー８２は表面にコントロールボタン８２１が設けられる。
【００２５】
また、便器のベース２の側面にはコード接続式のコントローラーを設けてもよい。該コード接続式のコントローラーは、リモートコントローラーボックス８と、該リモートコントローラーボックス８の操作パネル上に設けられたノズルの洗浄方法を選択する操作ボタン８１と、該リモートコントローラーボックス８の内部に設けるリモートコントローラー８２と、を含んでなる。該リモートコントローラー８２とリモートコントローラーボックス８との間は伸縮自在な電源コード８３で接続され、該リモートコントローラー８２は表面にコントロールボタン８２１が設けられる。
【００２６】
使用する場合には、図１から図４に開示するように、使用後、リモートコントローラーボックス８からリモートコントローラー８２を取り出して、洗浄方法を選択すると、ベース２内部のオゾン装置６２が始動してオゾンが発生する。該オゾンは、ポンプ６１から酸素水混合手段５２に送られ、進水管５１から流入する水と混合されたオゾン水になり、ノズル５３から噴射されて使用者の陰部を洗浄する。オゾン水は消毒、殺菌、消炎、除臭効果を具えてなるため、この発明により使用者をさらに清潔に衛生的にする。
【００２７】
また、図１から図４に開示するように、自動洗浄装置付き温水便座器のベース２の内部に設けられたオゾン装置６２は、発生したオゾンを直接ポンプ６１で水タンク５２１に送り、オゾン水を形成し、ノズル５３から噴射して使用者の陰部を洗浄してもよい。
【００２８】
図５及び図６に開示するように、ベース２は底部に便器１上のネジ孔に接続する調整可能な接続部材７を設ける。該接続部材７は、レール７１と、滑動ブロック７２と、を含んでなる。該滑動ブロック７２は、レール７１内を左や右に移動させて位置を調整することができる。
【００２９】
ネジ７３は下方に歯型部７４１を具えた固定パッド７４を設けてなり、滑動ブロック７２と固定パッド７４とが接触する部分にも歯型状の溝７２２が設けられる。ネジ７３は、ロックされていない状態にある場合、滑動ブロック７２の前後に移動し、滑動ブロック７２がレール７１の内部で左や右に移動する。
【００３０】
ネジ７３がロックされると、上下の歯型状の部分が係合して固定されるため、滑動ブロック７２がレール７１に押し圧され移動できなくなる。
【００３１】
図７に開示するように、レール７１には鋸の歯状の歯型部７１１が設けられ、滑動ブロック７２には突起７２３が設けられる。このため、ネジ７３がロックされていない場合には、滑動ブロック７２がレール７１内を左右に移動し、ネジ７３がロックされると、滑動ブロック７２上の突起７２３が歯型部７１１に係合して滑動ブロック７２が左右に移動しない。
【００３２】
よって、洗浄装置と便器とが確実に固定される。このように、殆どのサイズの便器に設けることができ、装着が簡単である。即ち、この発明は、ベース２と異なるサイズの便器１に装着できない、という欠点を解決した。
【００３３】
図８に開示するように、この発明は、便器２の側面にリモートコントローラーボックス８を設け、リモートコントローラー８２を設けることができる。また、該リモートコントローラーボックス８とリモートコントローラー８２上にはいずれも操作ボタン８１及びコントロールボタン８２１とが設けられる。
【００３４】
使用者はリモートコントローラー８２の操作パネル上に設けられたコントロールボタン８２１でノズルの洗浄方法を選択する。リモートコントローラー８２の電池の電力がなくなった場合、或いは一時的にリモートコントローラー８２が見つからなかった場合には、リモートコントローラーボックス８上に設けられた操作ボタン８１でノズルの洗浄方法を選択することができる。
【００３５】
図９は、この発明の他の実施の形態を開示したものである。該リモートコントローラー８２及びリモートコントローラーボックス８との間には伸縮自在の電源コード８３を設けて互いに接続する。
【００３６】
使用者はリモートコントローラー８２上のコントロールボタン８２１でノズルの洗浄方法を選択する。使用後、リモートコントローラー８２をリモートコントローラーボックス８内部に入れると、電源コード８３が自動的に収縮してリモートコントローラーボックス８の内部に収納される。
【００３７】
図１０に開示するように、便器１の側面に設けられた水タンク１０は洗浄用の水を貯め、該水タンク１０の排水管１２は洗浄装置５の進水管５１に接続する。該水タンク１０は、固定装置１１で壁に固定することができる。
【００３８】
上述のように、この発明は、同じベースを異なる規格サイズの便器に固定接続するという問題を解決するとともに、オゾン発生装置でオゾンを発生して、酸素水混合手段の内の水と混合してオゾン水を作り、洗浄用の水を殺菌することができる。
【００３９】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の請求の範囲に属するものとする。
【図面の簡単な説明】
【００４０】
【図１】この発明の自動洗浄装置付き温水便座器のを示した側面図である。
【図２】この発明の自動洗浄装置付き温水便座器のオゾン発生装置を示した説明図である。
【図３】この発明の自動洗浄装置付き温水便座器を上方から見た状態を示した説明図である。
【図４】この発明の自動洗浄装置付き温水便座器の他の実施形態を上方から見た状態を示した説明図である。
【図５】この発明の自動洗浄装置付き温水便座器の接続部材を示した説明図である。
【図６】この発明の自動洗浄装置付き温水便座器の接続部材を示した局部拡大図である。
【図７】この発明の自動洗浄装置付き温水便座器の接続部材を示した局部拡大図である
【図８】この発明の自動洗浄装置付き温水便座器のワイヤレスコントローラーを示した説明図である。
【図９】この発明の自動洗浄装置付き温水便座器のコード接続式のコントローラーを示した説明図である。
【図１０】この発明の自動洗浄装置付き温水便座器の水タンクを示した説明図である。
【符号の説明】
【００４１】
１       便器
１１     固定装置
１２     排水管
２       ベース
３       座部
４       上蓋
５       洗浄装置
５１     進水管
５２     酸素水混合手段
５２１   水タンク
５２２   酸素水混合タンク
５３     ノズル
６       オゾン発生装置
６１     ポンプ
６２     オゾン装置
７       接続部材
７１     レール
７１１   歯型部
７２     滑動ブロック
７２１   溝
７２２   溝
７２３   突起
７３     ネジ
７４     固定パッド
７４１   歯型部
８       リモートコントローラーボックス
８１     操作ボタン
８２     リモートコントローラー
８２１   コントロールボタン
８３     電源コード
１０     水タンク
【図１】
2008023333.tif 000003
【図２】
2008023333.tif 000004
【図３】
2008023333.tif 000005
【図４】
2008023333.tif 000006
【図５】
2008023333.tif 000007
【図６】
2008023333.tif 000008
【図７】
2008023333.tif 000009
【図８】
2008023333.tif 000010
【図９】
2008023333.tif 000011
【図１０】
2008023333.tif 000012